(57)【要約】【課題】仕舞い時の道糸弛みを防止することによる糸噛み防止具を有する継式中通し釣竿を提供する。【解決手段】釣糸導入孔２２を設けた竿管１０の直ぐ前側である直前竿管１２と、該直前竿管よりも前側の前側竿管１４，１６とが振出継合構造であり、一端部側には止め部材３０Ａを設けると共に、他端部側には道糸２４を連結できる道糸連結具３０Ｂを設けた紐状の弾性部材３０をセットとして有し、直前竿管内に前記前側竿管が収納された状態の穂先竿先端に前記止め部材が位置した状態での通常長さ状態である弾性部材の道糸連結具の位置を保持した状態で、全ての竿管を振り出して継ぎ合わせた状態にまで前記弾性部材が伸張可能であり、直前竿管１２内に前記前側竿管１４，１６が収納された状態において、穂先竿先端に止め部材が位置した状態の通常長さ状態の弾性部材は、道糸連結具が釣糸導入孔を越えた手元側位置には至らない長さに構成する。【選択図】図２
2009178127.tif 000002
【特許請求の範囲】
【請求項１】
少なくとも、釣糸導入孔を設けた竿管の直ぐ前側である直前竿管と、該直前竿管よりも前側の前側竿管とが振出継合構造であり、
一端部側には穂先竿先端から穂先竿内部に挿入できない大きさの止め部材を設けると共に、他端部側にはリールから引き出した道糸を連結できる道糸連結具を設けた紐状の弾性部材をセットとして有し、
前記直前竿管内に前記前側竿管が収納された状態の穂先竿先端に前記止め部材が位置した状態での通常長さ状態である弾性部材の道糸連結具の位置を保持した状態で、全ての竿管を振り出して継ぎ合わせた状態にまで前記弾性部材が伸張可能な弾力性を有し、
前記直前竿管内に前記前側竿管が収納された状態において、穂先竿先端に前記止め部材が位置した状態の通常長さ状態の弾性部材は、該弾性部材に設けた道糸連結具が釣糸導入孔を越えた手元側位置には至らない範囲内の長さを有する
ことを特徴とする糸噛み防止具を有する継式中通し釣竿。
【発明の詳細な説明】
【技術分野】
【０００１】
本発明は、糸噛み防止具を有する継式中通し釣竿に関する。
【背景技術】
【０００２】
中通し釣竿は、釣りの最中においては糸絡みを防止できて使い勝手が良いという利点を有する反面、釣りを始める前に、竿管内部に道糸を挿通させる必要があり、その作業のために時間を要する。また、釣り場を移動したりする場合、釣竿を伸ばしたままでは移動し難い。これらのため、竿管内に道糸を挿通させた状態で釣竿を仕舞いたい場合がある。しかし、内部に道糸を挿通させたままで振出式釣竿を短く仕舞う際に、道糸が竿管同士の径方向の隙間に挟まれる虞、即ち、糸噛みの虞があるため、仕舞い作業に時間を要することがある。下記特許文献１は、そうした糸噛みを防止しようと工夫したものである。これは、大径竿管の後端栓体の前方位置の係止体に穂先竿外周を保持させ、穂持竿等、他の竿管の後端をその係止体で受け止めて穂先竿後端部付近に空間を確保することにより糸噛みを防止しようとするものである。
【特許文献１】特開２００１−８５８２号公報
【発明の開示】
【発明が解決しようとする課題】
【０００３】
糸噛みは、竿管仕舞い時に道糸が弛むことによって生じる現象であるため、上記工夫の他にも、道糸の弛みを除去する工夫によって糸噛み防止構造を考えることができる。
依って解決しようとする課題は、仕舞い時の道糸弛みを防止することによる糸噛み防止具を有する継式中通し釣竿を提供することである。
【課題を解決するための手段】
【０００４】
本発明では、少なくとも、釣糸導入孔を設けた竿管の直ぐ前側である直前竿管と、該直前竿管よりも前側の前側竿管とが振出継合構造であり、一端部側には穂先竿先端から穂先竿内部に挿入できない大きさの止め部材を設けると共に、他端部側にはリールから引き出した道糸を連結できる道糸連結具を設けた紐状の弾性部材をセットとして有し、前記直前竿管内に前記前側竿管が収納された状態の穂先竿先端に前記止め部材が位置した状態での通常長さ状態である弾性部材の道糸連結具の位置を保持した状態で、全ての竿管を振り出して継ぎ合わせた状態にまで前記弾性部材が伸張可能な弾力性を有し、前記直前竿管内に前記前側竿管が収納された状態において、穂先竿先端に前記止め部材が位置した状態の通常長さ状態の弾性部材は、該弾性部材に設けた道糸連結具が釣糸導入孔を越えた手元側位置には至らない範囲内の長さを有することを特徴とする糸噛み防止具を有する継式中通し釣竿を提供する。
【０００５】
本発明の他の表現をすると、少なくとも、釣糸導入孔を設けた竿管の直ぐ前側である直前竿管と、該直前竿管よりも前側の前側竿管とが振出継合構造であり、一端部側には穂先竿先端から穂先竿内部に挿入できない大きさの止め部材を設けると共に、他端部側にはリールから引き出した道糸を連結できる道糸連結具を設けた紐状の弾性部材をセットとして有し、全ての竿管が継ぎ合わされた状態で穂先竿先端に前記止め部材が位置した状態において、道糸の先端を前記弾性部材端部の道糸連結具に連結した状態で、前記直前竿管内に前記前側竿管を収納させる際、収納開始から収納終了に至るまでの間に亘って道糸の緩みが生じない位置まで、前記弾性部材が伸びていない通常長さ状態から伸長可能であり、前記直前竿管内に前記前側竿管が収納された状態において、穂先竿先端に前記止め部材が位置した状態の通常長さ状態の弾性部材は、該弾性部材に設けた道糸連結具が釣糸導入孔を越えた手元側位置には至らない範囲内の長さを有することを特徴とする糸噛み防止具を有する継式中通し釣竿である。
【発明の効果】
【０００６】
本発明では、道糸連結具を介して道糸と連結された弾性部材は、直前竿管内に前記前側竿管が収納された状態の穂先竿先端に前記止め部材が位置した状態での通常長さ状態弾性部材の道糸連結具の位置を保持した状態で、全ての竿管を振り出して継ぎ合わせた状態にまで前記弾性部材が伸張可能な弾力性を有しているため、弾性部材を全ての竿管が継ぎ合わされた状態にまで伸ばした状態から上記前側竿管を直前竿管内に収納させる間、釣糸も弾性部材も緩まず、糸噛みが防止される。なお、通常長さ状態の弾性部材は、収納状態で弾性部材に設けた道糸連結具が釣糸導入孔を越えた手元側位置には至らない範囲内の長さであるため、直前竿管内に前側竿管が収納された状態の穂先竿先端に前記止め部材が位置した状態で弾性部材が緩むことが防止されている。
【発明を実施するための最良の形態】
【０００７】
以下、本発明を添付図面を用いて更に詳細に説明する。図１は、本発明に係る継式中通し釣竿の各竿管を全て継ぎ合わせた状態の側面図であり、図２は図１の要部を模式的に図示した縦断面図、図３は図１の釣竿を所定の仕舞い状態にした要部縦断面図、図４はセットにしている弾性部材の側面図である。元竿１０にはリール２０を固定装着できるリール固定装置１８を設けており、元竿の先部の適宜位置には釣糸導入部２２を設けている。
【０００８】
図１、図２の状態は、この例では、元竿１０の直前には第１中竿１２が振出式に継ぎ合わせられ、この第１中竿１２の直前には前側竿管の一つの第２中竿（穂持竿）１４が振出式に継ぎ合わせられ、穂持竿１４の直前には前側竿管の他の一つの穂先竿１６が振出式に継ぎ合わせられている。しかし、元竿１０と第１中竿１２は並継式継合構造でも良い。また、これらの各竿管は、周知の繊維強化樹脂製竿管であり、竿管１２，１４，１６の内部には螺旋状の釣糸ガイドが設けられている。
【０００９】
一方、この継式中通し釣竿とセットにされている紐状のゴム部材等の弾性部材３０は、その一端部側には止め部材３０Ａが設けられており、他端部側には、道糸２４を連結可能な道糸連結具３０Ｂ、例えば、道糸に仕掛けを連結する際に使用されているハリス止めと同様なもの、が設けられている。弾性部材の材料としては、伸縮性のゴムやシリコンゴム、その他、伸縮可能な繊維（ストレッチ繊維）として、ポリウレタン弾性繊維、ＰＢＴ（ポリブチレンテレフタレート）繊維、ポリエーテル・エステル繊維等がある。弾性部材は４倍くらい伸びる弾性が有ると好ましい。
【００１０】
この例での道糸連結具はループ状（ここでは楕円形状）の金属製であり、その短軸方向の外径は、各竿管１２，１４，１６の後端部に設けているガイドリングの孔径以下であるか又は短軸方向に縮径可能であって、これらのガイドリングを挿通できる。また、弾性部材３０と道糸連結具３０Ｂとは穂先竿１６の先端のトップガイド１６Ｔを挿通できるが、止め部材３０Ａは穂先竿先端のトップガイドに引っ掛かる大きさである。この例の止め部材３０Ａは先拡がりの円錐形状をしており、部材の先部を摘むことが容易である。継式釣竿に一般に装備されている上栓を止め部材として使用してもよい。
【００１１】
釣り状態において道糸２４は穂先竿先端から外部に引き出されているが、その状態で、例えば、仕掛けを取り外し、道糸の端部を上記弾性部材３０の道糸連結具３０Ｂに連結させ、この状態で、リール２０によって道糸２４を巻き取る。こうして弾性部材３０の止め部材３０Ａが穂先竿先端のトップガイド１６Ｔに引っ掛かり、図２は、その弾性部材が引き伸ばされていない通常長さ状態及び引き伸ばされた状態の図であり、通常長さ状態では、道糸連結具３０Ｂが穂先竿１６の尻栓に設けたガイドを通過した該ガイド近くの後方に位置しており、道糸がこれ以上巻き取られると弾性部材が引き伸ばされ始める限界位置である。弾性部材は穂先竿よりも少し長い長さである。
【００１２】
この状態から、更にリール２０による道糸巻取りによって弾性部材を引き伸ばす。
ここで、以下の説明に先立って図３の状態の説明をする。第１中竿１２の中に前側竿管１４，１６を収納させた仕舞い状態の図３は、弾性部材３０の先端の止め部材３０Ａが穂先竿先端のトップガイド１６Ｔに引っ掛かっており、通常長さ状態の弾性部材３０を描いている。また、道糸２４は道糸連結具３０Ｂに連結されていて、道糸も弾性部材も、道糸がこれ以上巻き取られると弾性部材が引き伸ばされ始める限界状態を描いている。更に、この状態における道糸連結具３０Ｂの位置は、釣糸導入孔の位置に設けたガイドリング２２Ａを越えた元竿１０の手元側位置には至っていない。この図３に示す状態の道糸連結具３０Ｂの位置に対応する位置を、図２に２点鎖線で示している。
【００１３】
既述の図２における実線で示す道糸連結具３０Ｂの位置は、この実施例では第１中竿１２の尻栓１２Ｓの後方所定位置であり、図２に２点鎖線で示す位置に道糸連結具３０Ｂが位置するまで弾性部材３０を長さＬだけ引き伸ばす。この例の弾性部材が長さＬだけ引き伸ばされた状態の道糸連結具３０Ｂは、丁度、釣糸導入部２２から視認できるようになる。この例での長さＬは、通常長さ状態の弾性部材の長さの２倍程である。
【００１４】
この例の釣糸導入部２２は、元竿１０に設けられた釣糸導入孔の前後の縁部又は全周縁部に設けたセラミックス製のガイドリング２２Ａと、この釣糸導入孔の元竿長手方向に覆い被さるブリッジ２２Ｃの元竿後方部位に設けたガイドリング２２Ｂとを有している。釣糸導入孔の上方のブリッジ部分には、元竿長手方向の長孔が形成されているので、この長孔や釣糸導入孔を介して、前記２点鎖線位置の道糸連結具３０Ｂが視認できる。従って、釣人は図２の状態から、リール２０で道糸２４を巻き取ることによって弾性部材３０を引き伸ばすが、その道糸連結具３０Ｂが長孔や釣糸導入孔を介して視認できる位置まで来ると、弾性部材３０の伸びが丁度になり、これで足りることを認識できるので巻取りを止める。
【００１５】
弾性部材３０を引き伸ばしてその道糸連結具３０Ｂが図２の２点鎖線の位置に来た状態から、穂持竿１４を第１中竿１２の中に収納し、次に、穂先竿１６を穂持竿１４の中に収納させると図３の仕舞い状態となる。穂持竿１４の後端は、第１中竿１２の尻栓１２Ｓの前端部において受け止められていると共に、その先端部は第１中竿の先端から突出している。また、穂先竿１６の後端は、穂持竿の尻栓を通過して第１中竿１２の尻栓１２Ｓの長手方向中間部において受け止められていると共に、穂先竿の先部は穂持竿先端から突出している。
【００１６】
この仕舞い状態にさせる際の穂持竿１４の収納の際は勿論、穂先竿１６の収納時においても、弾性部材３０が所定の位置まで（所定の長さに）伸ばされているため、これら竿管の収納の際には、道糸２４にも弾性部材３０にも常に張力が作用しているので道糸の弛みが発生しない。従って、糸噛みを防止できる。
【００１７】
上記例と異なり、通常長さ状態の弾性部材の長さが図２に示す長さよりもある程度短く、後端の道糸連結具３０Ｂが穂先竿１６の内部に位置する短さの場合、図２の２点鎖線で示す道糸連結具の位置まで弾性部材を伸張させなくても、前側竿管収納の際の糸噛みは防止できる。しかし、この短い場合は、リール操作によって道糸２４を巻回しつつ弾性部材を伸張させた際に、道糸連結具３０Ｂが図３のような位置に来るまで釣人には道糸連結具を視認できず、どの位置で道糸の巻回操作を止めればよいのかが不明である。従って、道糸２４の所定位置に識別可能な色の環状印等を設けておき、その印が釣糸導入部２２等の位置に来た際に巻取り操作を止める、というような工夫をしてもよい。
【００１８】
図３の収納状態から再び釣りを行う際には、弾性部材３０を引き伸ばしつつ各竿管を振り出すか、或いは、リール２０を緩めた状態で道糸２４を引き出しつつ図２（図１）の状態にまで各竿管を引き出す。その後、止め部材３０Ａを摘んで弾性部材３０を引き出し、道糸連結具３０Ｂから道糸２４を外す。この後は、通常の仕掛け装着作業と同じである。
【００１９】
既述のように、通常、釣竿に装備されている収納状態の釣竿先部保護用の上栓を止め部材として使い、紐状弾性部材を仕舞う際には、この上栓に巻き取る等の工夫をしてもよい。図５はその例を示しており、筒状の上栓本体３２の内部は仕切板３４によって上下の空間Ｒ１，Ｒ２に分かれている。上の空間Ｒ１には、軸心が上栓本体の直径方向に延伸する巻取り軸３８が回転可能に上栓本体によって保持されている。一方、前記仕切板の中央部には孔が開いており、この孔に弾性部材を挿通させてその一端部を巻取り軸に取り付けている。巻取り軸と連結していて、上栓本体３２の外部に露出している摘み３８Ｔを摘んで回転させることによって、巻取り軸上に弾性部材３０を巻き取ることができる。
【００２０】
なお、仕切板３４の下側に設けている部材３６は、ゴム部材等のクッション材であり、下の空間Ｒ２に釣竿先部を挿入した際に、釣竿先部を保護する役目をする。このように、上栓に弾性部材を収納すれば、持ち運びに便利である他、弾性部材の紛失を防止できる。
【００２１】
以上の例の前側竿管は２つの竿管１４，１６であるが、１つ又は３つ以上の竿管でもよい。また、道糸連結具３０Ｂを小さくし、道糸に装着されていたウキ用の管状ゴム部材をこの道糸連結具３０Ｂを介して弾性部材３０上に移動できれば、弾性部材３０の、道糸連結具３０Ｂとは反対側の端部をこの管状ゴム部材の移動を規制する大きさにさえ形成しておけば、ウキを上記の止め部材３０Ａとしても使用できる。
【産業上の利用可能性】
【００２２】
本発明は、継式中通し釣竿に利用できる。
【図面の簡単な説明】
【００２３】
【図１】図１は本発明に係る糸噛み防止具を有する継式中通し釣竿を全て継ぎ合わせた状態の側面図である。
【図２】図２は図１の要部を模式的に図示した縦断面図である。
【図３】図３は図１の釣竿を所定の仕舞い状態にした要部縦断面図である。
【図４】図４はセットにしている弾性部材の側面図である。
【図５】図５は本発明に係る糸噛み防止具の止め部材の他の例を示す断面図である。
【符号の説明】
【００２４】
１０                元竿
１２                直前竿管
１４，１６          前側竿管
２２                釣糸導入部
３０                弾性部材
３０Ａ              止め部材
３０Ｂ              道糸連結具
【図１】
2009178127.tif 000003
【図２】
2009178127.tif 000004
【図３】
2009178127.tif 000005
【図４】
2009178127.tif 000006
【図５】
2009178127.tif 000007